(57)【要約】      （修正有）【課題】差分伝送された差分映像データを利用し、より解像度が高い映像を表示出力する電子機器、電子機器の制御方法、電子機器の制御プログラムを提供する。【解決手段】電子機器は、第１の映像の映像データと、前記第１の映像より高画質な映像と前記第１の映像との差分を含む差分データを受信する受信部を備える。また、前記第１の映像の映像データから第１の映像を生成する第１の映像生成部と、前記差分データから差分映像を生成する差分映像生成部を備える。また、前記生成された前記第１の映像と、前記差分映像を用い、色差フォーマット変換して出力する色差フォーマット変換部を備える。【選択図】図４
2014204338.tif 000002
【特許請求の範囲】
【請求項１】
第１の映像の映像データと、前記第１の映像より高画質な映像と前記第１の映像との差分を含む差分データを受信する受信部と、
前記第１の映像の映像データから第１の映像を生成する第１の映像生成部と、
前記差分データから差分映像を生成する差分映像生成部と、
前記生成された前記第１の映像と、前記差分映像を用い、色差フォーマット変換して出力する色差フォーマット変換部と、を備える電子機器。
【請求項２】
前記差分データの使用が設定されている場合に、前記差分映像を生成する請求項１に記載の電子機器。
【請求項３】
前記差分データの使用が設定可能な設定部を備える請求項１または２に記載の電子機器。
【請求項４】
前記色差フォーマット変換され、出力された映像信号に、画質改善処理を行って出力する請求項１乃至３のいずれかに記載の電子機器。
【請求項５】
前記出力された映像信号を映像表示部に表示出力する請求項５に記載の電子機器。
【請求項６】
第１の映像の映像データと、前記第１の映像より高画質な映像と前記第１の映像との差分を含む差分データを受信するステップと、
前記第１の映像の映像データから第１の映像を生成する第１の映像生成部と、
前記差分データから差分映像を生成するステップと、
前記生成された前記第１の映像と、前記差分映像を用い、色差フォーマット変換して出力するステップと、を備え、電子機器を制御する電子機器の制御方法。
【請求項７】
第１の映像の映像データと、前記第１の映像より高画質な映像と前記第１の映像との差分を含む差分データを受信するステップと、
前記第１の映像の映像データから第１の映像を生成する第１の映像生成部と、
前記差分データから差分映像を生成するステップと、
前記生成された前記第１の映像と、前記差分映像を用い、色差フォーマット変換して出力するステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、第1解像度の映像（例えば、「２ｋ１ｋ」）に、別途伝送された差分データを組み合わせ、第1解像度の映像より解像度が高い第２解像度の映像（例えば、「４ｋ２ｋ」）を表示する方式が提案されている（差分伝送）。
【０００３】
ここで、差分データとは、例えば、上記第1解像度の映像と、上記第２解像度の映像との差分情報である。
【０００４】
また、ここで、「２ｋ１ｋ」とは、ディスプレイの解像度で、いわゆるフルＨＤ相当のサイズを示す表現である。「２ｋ１ｋ」の「ｋ」はキロを指す。フルＨＤの解像度は１９２０×１０８０で、概算で２０００×１０００、すなわち「２ｋ１ｋ」という表記になっている。
【０００５】
また、「４ｋ２ｋ」とは、４０００×２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００６】
そして、例えば、差分伝送された差分映像データを利用し、より解像度が高い映像を表示出力することが求められ、課題になっていた。
【先行技術文献】
【特許文献】
【０００７】
【特許文献１】特開２０１１−７８０９２号公報
【発明の概要】
【発明が解決しようとする課題】
【０００８】
例えば、差分伝送された差分映像データを利用し、より解像度が高い映像を表示出力することが課題になっていた。
【課題を解決するための手段】
【０００９】
実施形態の電子機器は、第１の映像の映像データと、前記第１の映像より高画質な映像と前記第１の映像との差分を含む差分データを受信する受信部を備える。
【００１０】
また、前記第１の映像の映像データから第１の映像を生成する第１の映像生成部と、
前記差分データから差分映像を生成する差分映像生成部を備える。
【００１１】
また、前記生成された前記第１の映像と、前記差分映像を用い、色差フォーマット変換して出力する色差フォーマット変換部を備える。
【図面の簡単な説明】
【００１２】
【図１】実施形態に係る電子機器の外観を示す外観図。
【図２】実施形態に係る電子機器の構成を示すブロック図。
【図３】実施形態に係る電子機器の構成を示すブロック図。
【図４】実施形態に係る電子機器の映像生成部の構成を示すブロック図。
【図５】実施形態に係る電子機器において、差分情報を用いる場合の色差フォーマット変換の一例を示す図。
【図６】実施形態に係る電子機器において、差分データを用いた色差フォーマット変換を設定可能な設定画面を示す図。
【図７】実施形態に係る電子機器の動作を説明するフローチャート。
【発明を実施するための形態】
【００１３】
以下、図面を参照し、実施の形態を説明する。
【００１４】
図１は、実施形態に係る電子機器の外観を示す外観図である。
【００１５】
ここでは、電子機器１の一例として、テレビ等の映像表示装置を用いて説明を行うが、電子機器１はテレビに限定されることはなく、録画装置やパーソナルコンピュータ（ＰＣ）、スマートフォン等にも適用可能である。
【００１６】
電子機器１は、例えば、ユーザによってリモコン（リモートコントローラ）２１が操作される。このリモコン２１から出力されたリモコン信号が電子機器１の操作受信部２０で受信される。
【００１７】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００１８】
また、この電子機器１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００１９】
また、この実施形態においては、インターネットや放送を介し、「高画質映像」を生成するための「差分情報」が伝送（差分伝送）され、電子機器１で受信される。
【００２０】
一般に、差分伝送方式は、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）を用い、「高画質映像」である第２の映像（第２解像度の映像、例えば、「４ｋ２ｋ」映像）を表示出力する方式である。
【００２１】
そして、第１の映像（例えば、「２ｋ１ｋ」映像）と、第１の映像より解像度が高い第２の映像（例えば、「４ｋ２ｋ」映像）と第１の映像との差分映像データを用いて第２の映像が出力される。
【００２２】
図２は、実施形態に係る電子機器の構成を示すブロック図である。
【００２３】
この実施形態において、電子機器１は、例えば、第１の映像の映像データと、前記第１の映像より高画質な映像と前記第１の映像との差分を含む差分データを受信する受信部を備えている。
【００２４】
第１の映像の映像データは、例えば、放送局２５から放送された放送波が、アンテナ２で受信され、チューナ３で選局されることにより電子機器１で受信される。
【００２５】
また、差分データは、第１の映像の映像データと同様に、放送局２５から放送され、アンテナ２、チューナ３を介して電子機器１で受信される。あるいは、ネットワーク２６を介したインターネット等で送信され、電子機器１で受信される。
【００２６】
この実施形態においては、制御部１１はＣＰＵ１２を備えている。そして、ＣＰＵ１２は電子機器（映像表示装置）１を制御する。
【００２７】
また、ＲＡＭ１３、ＲＯＭ１４、フラッシュメモリ１５は、例えば、制御部１１で行われる処理に利用される。
【００２８】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２９】
信号処理部４で受信されたデジタル信号の映像コンテンツは信号処理が施され、音声処理部６および映像生成部５に送信される。
【００３０】
音声処理部６は、信号処理が施された映像コンテンツを受信し、音声処理を施した信号をスピーカ９に送信する。
【００３１】
スピーカ９は、音声処理が施された信号を受信し、音声を出力する。
【００３２】
また、映像生成部５は、信号処理が施された映像コンテンツを受信し、映像処理を施した信号を表示装置７に送信する。
【００３３】
表示装置７は、映像処理が施された信号を受信し、ＬＣＤパネル等で構成される表示画面（映像表示部）８に映像を表示する。
【００３４】
また、この実施形態においては、電子機器（映像表示装置）１は内部記憶装置１７を備えている。この内部記憶装置１７は、上記外部記録機器１９と同様に、例えば、電子機器（映像表示装置）１で受信された映像コンテンツを録画することが可能である。
【００３５】
また、この実施形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００３６】
また、この実施形態においては、電子機器（映像表示装置）１は、送受信部（ネットワークインターフェース）２２、ネットワーク（インターネット）２６を介してサーバ２７に接続されており、例えば、インターネットで配信された映像コンテンツを受信し、上記と同様に、内部記憶装置１７や外部記憶機器１９に記録することも可能である。
【００３７】
これらの処理は、上記のように、制御部１１に制御される。
【００３８】
図３は、実施形態に係る電子機器の構成を示すブロック図である。
【００３９】
例えば、放送局２５から放送され、放送波で送られる番組を表示する場合は、これらの放送波は、例えば、電子機器１のチューナ部３で選局受信される。
【００４０】
チューナ部３は、予め設定された放送チャンネルの番組を抽出し、主映像（メイン映像）として映像生成部５へ向けて出力する。
【００４１】
また、外部入力（ＨＤＭＩ（登録商標）／ビデオ入力端子／Ｅｔｈｅｒｎｅｔ（登録商標）／ＵＳＢ等）からの映像入力を表示する場合は、その入力は、例えば、外部Ｉ/Ｆ制御部２２に入力される。
【００４２】
そして、例えば、外部Ｉ/Ｆ制御部２２において、それらの入力に依り必要なパケット／再生制御、デコード等を実施、適切な形式に整えられた映像データを取り出してメイン映像入力として映像生成部５へ入力する。
【００４３】
図４は、実施形態に係る電子機器の映像生成部の構成を示すブロック図である。
【００４４】
この実施形態に係る電子機器１は、第１の映像（第1解像度の映像（例えば、「２ｋ１ｋ」）等）の映像データと、前記第１の映像より高画質な映像と前記第１の映像との差分を含む差分データを受信する受信部（差分映像生成部３１、メイン映像生成部３２）を備えている。
【００４５】
また、前記第１の映像（第1解像度の映像（例えば、「２ｋ１ｋ」）等）の映像データから第１の映像を生成する第１の映像生成部（メイン映像生成部３２）を備えている。
【００４６】
また、前記差分データから差分映像（差分映像情報）を生成する差分映像生成部（差分映像生成部３１）を備えている。
【００４７】
また、前記生成された前記第１の映像（第1解像度の映像（例えば、「２ｋ１ｋ」）等）と、前記差分映像（差分映像情報）を用い、色差フォーマット変換して出力する色差フォーマット変換部を備えている。
【００４８】
そして、例えば、差分情報を用いない場合は、メイン映像生成部３２では、チューナ部３から入力される映像、もしくは、外部Ｉ/Ｆ制御部２２からの映像入力を、設定に応じて、構成・加工し、加工後の画面のデータを色差フォーマット変換部３３へ出力する。
【００４９】
色差フォーマット変換部３３では、設定に応じて、例えば、４：２：０→４：４：４変換等を行い、変換後のデータを映像効果部３４へ出力する。
【００５０】
映像効果部３４では、画質改善等の処理を行い、処理後のデータを映像表示部７へ出力する。
【００５１】
また、例えば、差分情報を用いる場合は、メイン映像が色差フォーマット変換部３３に入力されるまでは、上記と同様の構成である。
【００５２】
また、差分情報については、上記のように、例えば、放送波、もしくは、外部データ入力等より入力される。
【００５３】
そして、差分情報の入力が放送波からであれば、チューナ部３で差分情報を取出し、また、差分情報の入力が、外部データ入力からであれば、外部Ｉ/Ｆ制御部２２で、その入力に依り必要なパケット／再生制御、デコード等を実施し、適切な形式に整えられた差分情報を取り出して、差分映像入力として差分映像生成部３１へ入力する。
【００５４】
そして、差分映像生成部３１は、設定に応じて、構成・加工し、加工後の画面のデータを色差フォーマット変換部３３へ出力する。
【００５５】
図５は、実施形態に係る電子機器において、差分情報を用いる場合の色差フォーマット変換の一例を示す図である。
【００５６】
図５に示すように、差分情報を用いる場合は、色差フォーマット変換部３３の処理は、例えば、４：２：０→４：４：４変換において、あるメイン映像の画素の色差画素値がＣ（図５（ａ））、該当する差分データの色差画素値をＣｄ１，Ｃｄ２，Ｃｄ３とすれば（図５（ｂ））、変換後の画素値Ｃ０, Ｃ１, Ｃ２, Ｃ３を、Ｃ０ ＝ Ｃ ＋ Ｃｄ０， Ｃ１ ＝ Ｃ ＋ Ｃｄ１，Ｃ２ ＝ Ｃ ＋ Ｃｄ２，Ｃ３ ＝ Ｃ ＋ Ｃｄ３、として求める（位置関係は、例えば、図５（ｃ）に示す）。
【００５７】
なお、他の色差フォーマットの変換組合せで、画素位置がこのような単純な対応とならない場合であれば、特に図示しないが、隣接画素値を比例配分等した値を用いることで、同様に、差分データを用いない場合よりも、より質の高い変換を実現することが可能である。
【００５８】
また、さらに、図示しないフィルタ処理等と組み合わせることで、さらにより高い画質を実現できる場合もある。
【００５９】
なお、ここでは、差分データは、差分映像生成部３１にて、対応するメイン映像フレームの画素値との差分（符号付数）として生成するものとしたが、差分データの形式はこのような構成に限ることはない。
【００６０】
そして、上記色差フォーマット変換後のデータは、映像効果部３４へ出力される。映像効果部３４では、画質改善等の処理を行い、この画質改善処理後のデータを、例えば、映像表示部７へ出力表示する。
【００６１】
このように、この実施形態においては、メイン映像に加え、差分データも活用して色差フォーマット変換することで画質の向上を図ることができる。これにより、より解像度が高い映像を表示出力することが可能になる。
【００６２】
図６は、実施形態に係る電子機器において、差分データを用いた色差フォーマット変換を設定可能な設定画面を示す図である。
【００６３】
この実施形態においては、例えば、ユーザがリモコン２１を操作し、電子機器１に、差分データを用いた色差フォーマット変換の設定を行うことが可能である。
【００６４】
ここでは、例えば、表示画面８に、「１．差分データを用いた色差フォーマット変換設定しますか？」と表示されている。そして、ユーザがリモコン２１を操作し、「Ｙｅｓ」５１が指定されている。
【００６５】
図７は、実施形態に係る電子機器の動作を説明するフローチャートである。
【００６６】
ステップＳ１００は、ここでの開始ステップである。続いて、ステップＳ１０１に進む。
【００６７】
ステップＳ１０１は、放送波やインターネット等の外部から、メイン映像（第１の映像）データと、差分映像データを受信するステップである。続いて、ステップＳ１０２に進む。
【００６８】
ステップＳ１０２は、例えば、図３、図４に示すように、メイン映像（第１の映像）データからメイン映像（第１の映像）を生成するステップである。続いて、ステップＳ１０３に進む。
【００６９】
ステップＳ１０３は、例えば、図６に示すように、差分データの使用が設定されているかを検出するステップである。差分データの使用が設定されていると検出される場合は、ステップＳ１０４に進む（Ｙｅｓ）。差分データの使用が設定されていると検出されない場合は、ステップＳ１０６に進む（Ｎｏ）。
【００７０】
ステップＳ１０４は、例えば、図３、図４に示すように、差分データから差分映像情報を生成するステップである。続いて、ステップＳ１０５に進む。
【００７１】
ステップＳ１０５は、例えば、電子機器１の色差フォーマット変換部は、メイン映像（第１の映像）と差分映像情報を用い、色差フォーマット変換して出力するステップである。色差フォーマット変換は、例えば、設定に応じて、４：２：０→４：４：４等のように行われる。続いて、ステップＳ１０７に進む。
【００７２】
ステップＳ１０６は、色差フォーマット変換部は、メイン映像（第１の映像）を用い、色差フォーマット変換して出力するステップである。色差フォーマット変換は、例えば、設定に応じて、４：２：０→４：４：４等のように行われる。続いて、ステップＳ１０７に進む。
【００７３】
ステップＳ１０７は、映像効果部３４は、色差フォーマット変換され、出力された映像信号を受信し、画質改善処理し、出力するステップである。続いて、ステップＳ１０８に進む。
【００７４】
ステップＳ１０８は、出力された映像信号を映像表示部７に表示出力するステップである。続いて、ステップＳ１０９に進む。
【００７５】
ステップＳ１０９は、終了ステップであり、ここでの処理は終了する。
【００７６】
上記のように、この実施形態においては、差分情報の配信（例えば、４ｋ２ｋ差分配信）を受信可能な映像表示装置において、色差フォーマット変換の際に、表示サイズに関わらず、差分配信データも使用することで、より品質の高い映像を表示することが可能になる。
【００７７】
すなわち、この実施形態に係る電子機器１は、第１の映像（第1解像度の映像（例えば、「２ｋ１ｋ」）等）の映像データと、前記第１の映像より高画質な映像と前記第１の映像との差分を含む差分データを受信する受信部（差分映像生成部３１、メイン映像生成部３２）を備えている。
【００７８】
また、前記第１の映像（第1解像度の映像（例えば、「２ｋ１ｋ」）等）の映像データから第１の映像を生成する第１の映像生成部（メイン映像生成部３２）を備えている。
【００７９】
また、前記差分データから差分映像（差分映像情報）を生成する差分映像生成部（差分映像生成部３１）を備えている。
【００８０】
また、前記生成された前記第１の映像（第1解像度の映像（例えば、「２ｋ１ｋ」）等）と、前記差分映像（差分映像情報）を用い、色差フォーマット変換して出力する色差フォーマット変換部３３を備えている。
【００８１】
また、この実施形態に係る電子機器１は、前記差分データの使用が設定されている場合に、前記差分映像を生成する。
【００８２】
また、この実施形態に係る電子機器１は、前記差分データの使用が設定可能な設定部（例えば、図６）を備える。
【００８３】
また、この実施形態に係る電子機器１は、前記色差フォーマット変換され、出力された映像信号に、画質改善処理を行って出力する。
【００８４】
また、この実施形態に係る電子機器１は、前記出力された映像信号を映像表示部に表示出力する。
【００８５】
上記のように構成することによって、この実施形態の電子機器１においては、例えば、差分伝送された差分映像データを利用し、より解像度が高い映像を表示出力することが可能になる。
【００８６】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００８７】
なお、上記実施形態は、記述そのものに限定されるものではなく、実施段階では、その趣旨を逸脱しない範囲で、構成要素を種々変形して具体化することが可能である。
【００８８】
また、上記実施形態に開示されている複数の構成要素の適宜な組み合せにより種々の発明を形成できる。
【００８９】
例えば、実施形態に示される全構成要素から幾つかの構成要素を削除してもよい。更に、異なる実施形態に亘る構成要素を適宜組み合せてもよい。
【符号の説明】
【００９０】
５…映像生成部５、７…映像表示部、１１…制御部、３１…差分映像生成部、３２…メイン映像生成部、３３…色差フォーマット変換部、３４…映像効果部。
【図１】
2014204338.tif 000003
【図２】
2014204338.tif 000004
【図３】
2014204338.tif 000005
【図４】
2014204338.tif 000006
【図５】
2014204338.tif 000007
【図６】
2014204338.tif 000008
【図７】
2014204338.tif 000009